(57)【要約】【課題】周波数帯に関係なく電波を用いる不正行為を検出可能な遊技機において、複数段階の検出感度を持たせる。【解決手段】外部から電磁波が照射された場合に、誘導電圧を発生させるアンテナと、所定の第１基準電圧を設定し、アンテナで誘導電圧が発生した場合に、電圧が変動しない第１基準電圧設定ラインと、第１基準電圧より高い第２基準電圧を設定し、アンテナで誘導電圧が発生した場合に、電圧が変動しない第２基準電圧設定ラインと、第１基準電圧より低い電圧を設定し、アンテナで誘導電圧が発生した場合に、設定する電圧が上昇する誘導電圧設定ラインと、第１基準電圧設定ラインが設定する電圧と誘導電圧設定ラインが設定する電圧との大小関係を示す電圧を出力する第１比較手段と、第２基準電圧設定ラインが設定する電圧と誘導電圧設定ラインが設定する電圧との大小関係を示す電圧を出力する第２比較手段とを有する電波検出回路を設ける。【選択図】図５
2011125436.tif 000002
【特許請求の範囲】
【請求項１】
外部から電磁波が照射された場合に、前記電磁波を検出する電波検出回路を備える遊技機であって、
前記電波検出回路は、
前記電磁波を受信して誘導電圧を発生させるアンテナと、
所定の第１基準電圧を設定し、前記アンテナで誘導電圧が発生した場合に、電圧が変動しない第１基準電圧設定ラインと、
前記第１基準電圧より高い第２基準電圧を設定し、前記アンテナで誘導電圧が発生した場合に、電圧が変動しない第２基準電圧設定ラインと、
前記第１基準電圧より低い電圧を設定し、前記アンテナで誘導電圧が発生した場合に、設定する電圧が上昇する誘導電圧設定ラインと、
前記第１基準電圧設定ラインが設定する電圧と前記誘導電圧設定ラインが設定する電圧との大小関係を示す電圧を出力する第１比較手段と、
前記第２基準電圧設定ラインが設定する電圧と前記誘導電圧設定ラインが設定する電圧との大小関係を示す電圧を出力する第２比較手段と、
を備えて構成されていることを特徴とする遊技機。
【請求項２】
前記第１基準電圧設定ラインでは、第１ダイオードと、前記第１ダイオードと並列接続された第１コンデンサが設けられており、前記アンテナで誘導電圧が発生した場合に、前記第１ダイオードにより前記誘導電圧を検波せず、電圧が変動しないように構成され、
前記第２基準電圧設定ラインでは、前記第１ダイオードと同一構成を有する第２ダイオードと、前記第２ダイオードと並列接続された第２コンデンサが設けられており、前記アンテナで誘導電圧が発生した場合に、前記第２ダイオードにより前記誘導電圧を検波せず、電圧が変動しないように構成され、
前記誘導電圧設定ラインには、前記第１ダイオードおよび前記第２ダイオードと同一構成を有する第３ダイオードが設けられており、前記アンテナで誘導電圧が発生した場合に、前記第３ダイオードにより前記誘導電圧を検波して直流電圧を生成し、設定する電圧が上昇するように構成されていることを特徴とする請求項１に記載の遊技機。
【請求項３】
前記電波検出回路は、遊技全体の進行を司る主制御部に設けられていることを特徴とする請求項１または２に記載の遊技機。
【発明の詳細な説明】
【技術分野】
【０００１】
本発明は、遊技機に関し、特に、いわゆるセブン機、羽根物、権利物といったパチンコ遊技機や組合せ式遊技機（アレンジボール遊技機）や回胴式遊技機（スロットマシン）等の遊技機に関する。
【背景技術】
【０００２】
従来より、遊技機の電子回路に電波を照射し、電子回路を誤作動させて不正に利益を得る行為（いわゆる電波ゴト）が問題となっている。このような不正行為を検出するために、発振回路と共振回路を備える電波検出回路を遊技機に設けることが提案されている（特許文献１参照）。
【先行技術文献】
【特許文献】
【０００３】
【特許文献１】特開２００８−３００３号公報
【発明の概要】
【発明が解決しようとする課題】
【０００４】
ところで、上記特許文献１に記載の遊技機では、共振回路を備える電波検出回路を用いているので、検出可能な周波数帯が限定されるという問題があり、本出願人は、使用する周波数帯に影響されることなく、電波を用いる不正行為を検出可能とする電波検出回路を備える遊技機を提案している（特願２００９−１７４３８６）。
【０００５】
しかしながら、周波数を限定しない電波検出回路を用いる場合には、広範囲な周波数帯の電波を検出するため、例えば隣接する遊技機で電波を照射する不正行為が行われたような場合でも電波を検出する可能性がある。この結果、本来必要でない場合にもエラー報知が頻繁に発生し、遊技者による遊技進行に支障をきたすおそれがある。一方、隣接する遊技機で電波を照射する不正行為が行われた場合にその電波を検出することは、遊技場全体での不正行為を検出する観点から望ましいことといえる。
【０００６】
そこで、本発明は上記点に鑑み、周波数帯に関係なく電波を用いる不正行為を検出可能な遊技機において、複数段階の検出感度を持たせることを目的とする。
【課題を解決するための手段】
【０００７】
上記目的を達成するため、本発明は、外部から電磁波が照射された場合に、前記電磁波を検出する電波検出回路を備える遊技機であって、
前記電波検出回路は、
前記電磁波を受信して誘導電圧を発生させるアンテナと、
所定の第１基準電圧を設定し、前記アンテナで誘導電圧が発生した場合に、電圧が変動しない第１基準電圧設定ラインと、
前記第１基準電圧より高い第２基準電圧を設定し、前記アンテナで誘導電圧が発生した場合に、電圧が変動しない第２基準電圧設定ラインと、
前記第１基準電圧より低い電圧を設定し、前記アンテナで誘導電圧が発生した場合に、設定する電圧が上昇する誘導電圧設定ラインと、
前記第１基準電圧設定ラインが設定する電圧と前記誘導電圧設定ラインが設定する電圧との大小関係を示す電圧を出力する第１比較手段と、
前記第２基準電圧設定ラインが設定する電圧と前記誘導電圧設定ラインが設定する電圧との大小関係を示す電圧を出力する第２比較手段と、
を備えて構成されていることを特徴としている。
【０００８】
本発明の電波検出回路は、大きさの異なる２種類の基準電圧を生成するようにし、これらの基準電圧と電磁波により電圧が変動する誘導電圧とを比較することで、外部から照射される電磁波の大きさを段階的に検出することができ、電磁波の検出感度を複数段階で設定することができる。この結果、検出された電波の大きさによって、エラー報知態様を異ならせることができる。
【０００９】
例えば、第１段階目の電波の検出では、外部接続端子よりホールコンピュータへのエラー出力を行う。そして、第２段階目の電波の検出では、例えば外部接続端子よりホールコンピュータへのエラー出力に加えて、演出表示装置の表示領域における表示やスピーカからの音声を用いて、異常が発生した旨のエラー報知を行うことができる。このように、電波の第１段階目の検出が行われた場合には、ホールコンピュータへのエラー報知を行い、遊技機でのエラー報知を行わないことで、ホールコンピュータに不正行為を監視しつつ、遊技者は遊技を継続することができる。そして、電磁波の第２段階目の検出が行われた場合には、ホールコンピュータへのエラー報知に加え、遊技機でのエラー報知を行うことで、当該遊技機で不正行為が行われていることを明らかにすることができる。
【００１０】
ここで、「基準電圧の設定」とは、不正電波を検出して誘導電圧が上昇した場合に、誘導電圧との間で大小関係を生じさせるために、基準となる電圧を抵抗等により定めておくことをいう。
【００１１】
また、本発明の遊技機は、
前記第１基準電圧設定ラインでは、第１ダイオードと、前記第１ダイオードと並列接続された第１コンデンサが設けられており、前記アンテナで誘導電圧が発生した場合に、前記第１ダイオードにより前記誘導電圧を検波せず、電圧が変動しないように構成され、
前記第２基準電圧設定ラインでは、前記第１ダイオードと同一構成を有する第２ダイオードと、前記第２ダイオードと並列接続された第２コンデンサが設けられており、前記アンテナで誘導電圧が発生した場合に、前記第２ダイオードにより前記誘導電圧を検波せず、電圧が変動しないように構成され、
前記誘導電圧設定ラインには、前記第１ダイオードおよび前記第２ダイオードと同一構成を有する第３ダイオードが設けられており、前記アンテナで誘導電圧が発生した場合に、前記第３ダイオードにより前記誘導電圧を検波して直流電圧を生成し、設定する電圧が上昇するように構成されていることを特徴としている。
【００１２】
これにより、第１基準電圧出力ラインに流れる誘導電流は、第１ダイオードと並列接続された第１コンデンサを経由するため、第１ダイオードで検波されることがなく直流電流とならない。同様に、第２基準電圧出力ラインに流れる誘導電流は、第２ダイオードと並列接続された第２コンデンサを経由するため、第２ダイオードで検波されることがなく直流電流とならない。この結果、アンテナで誘導電圧が発生した場合であっても、第１基準電圧出力ラインおよび第２基準電圧出力ラインの電圧は変動しない構成とすることができる。一方、誘導電圧出力ラインでは、第３ダイオードによりアンテナにて発生した誘導電圧が検波される。この結果、アンテナで発生した誘導電圧は直流電圧となって、誘導電圧出力ラインの電圧を上昇させることができる。
【００１３】
また、本発明の遊技機は、前記電波検出回路は、遊技全体の進行を司る主制御部に設けられていることを特徴としている。
【００１４】
これにより、主制御部は、電波検出回路の出力状態に基づいて外部からの電磁波を検出した場合に、表示や音に関する制御を司るサブ制御部にエラー出力をするように構成することができる。この結果、エラー出力を受信したサブ制御部が、表示や音声を用いて、異常が発生した旨のエラー報知を行うことができる。さらに、主制御部は、電波検出回路にて電磁波を検出した場合に、外部にエラー出力を行うことができる。さらに、主制御部は、電波検出回路にて電磁波を検出した場合に、遊技機の各種制御の停止や電源の遮断を行い、遊技の進行を停止させることができる。
【発明の効果】
【００１５】
以上の本発明の構成により、周波数帯に関係なく電波を用いる不正行為を検出可能な遊技機において、複数段階の検出感度を持たせることが可能となる。
【図面の簡単な説明】
【００１６】
【図１】本発明を適用した実施例に係る遊技機の正面図である。
【図２】遊技盤の正面図である。
【図３】遊技機の裏機構盤の正面図である。
【図４】電子制御装置の概略構成を示すブロック図である。
【図５】第１実施例の電波検出回路の構成を示す回路図である。
【図６】第２実施例の電波検出回路の構成を示す回路図である。
【図７】電波検出回路の変形例を示す回路図である。
【図８】回胴式遊技機の正面図である。
【図９】回胴式遊技機の電子制御装置の概略構成を示すブロック図である。
【発明を実施するための形態】
【００１７】
（第１実施例）
以下、本発明の実施例について図面を用いて説明する。なお、以下では、特別図柄の変動表示の終了に伴い大当り図柄が停止表示され、これを契機に大当り遊技が開始されるタイプ（いわゆるセブン機タイプ）のパチンコ遊技機（以下、単に遊技機という）に本発明を適用した実施例について説明する。
【００１８】
図１は、本実施例の遊技機１の正面図である。図１に示すように、遊技機１の前面部は、外枠２、中枠３、前面枠４、上皿部５、下皿部６、施錠装置９、遊技盤２０等を備えている。なお、図１では遊技盤２０の詳細な図示を省略している。また、中枠３は前面枠４等が前面側に配置されているため、図１においては明示されていない。
【００１９】
外枠２は木製の板状体を略長方形の枠状に組立てたものである。中枠３はプラスチック製で遊技機１の本体枠を構成するもので、外枠２の内側にはめ込まれて設置されており、外枠２に対して開閉可能に左端で軸支されている。この中枠３は、上側２／３程度を占める枠体部と下側１／３程度を占める下板部とから構成されている。枠体部の前面側には遊技盤２０と前面枠４とが重なるように設けられており、下板部の前面側には上皿部５と下皿部６が設けられている。なお、遊技盤２０は枠体部（中枠３）に対して着脱自在に設けられている。下板部には、遊技球を遊技盤２０に発射する発射手段を構成する発射装置ユニット（図示略）、遊技球を発射装置ユニットに供給する球送り装置（図示略）が設けられている。
【００２０】
前面枠４は、中枠３の前面側に配置され、中枠３の左端で開閉可能に支持されている。前面枠４はプラスチック製であり、その奥側に配置される遊技盤２０の盤面を視認可能にするために、円形状の開口部４ａが形成されている。前面枠４の裏面には、開口部４ａに対応したガラス板等の透明板を備える略長方形状の透明板枠（図示略）が装着されている。前面枠４における遊技盤２０の周囲には、ＬＥＤ等のランプ類（図示略）が設けられている。これらのランプ類は、遊技効果を高めるためにゲーム進行に応じて点灯・消灯あるいは点滅する。
【００２１】
上皿部５は、前面枠４の下側に設けられ、中枠３の左端に開閉可能に支持されている。上皿部５は、皿外縁部５ａと、遊技機１の内部から遊技球を排出するための排出口５ｂと、上皿部５の遊技球を下皿部６に排出する球抜きボタン５ｃとを備えている。皿外縁部５ａの上面には、演出ボタン５ｄ（操作手段の一態様）や球貸ボタン５ｅ等が設けられている。演出ボタン５ｄは、皿外縁部５ａの上面に突出して設けられており、遊技者が押圧操作することで下方に移動するとともに、押圧を解くことで図示しない弾性手段（例えばバネ部材）により上方に移動する出没式の押しボタンとして構成されている。
【００２２】
下皿部６は、上皿部５の下方に設けられている。下皿部６の略中央には、遊技機１の内部から下皿部６に遊技球を排出するための排出口６ａが設けられている。下皿部６の左端には灰皿７が設けられている。下皿部６の右端には、遊技者が発射装置ユニット（図示略）を操作するための発射ハンドル８が設けられている。発射ハンドル８には、遊技者が触れていることを検出する接触検知手段（接触検知センサ）としてのタッチスイッチ８ａが設けられている。発射ハンドル８の左側面には、遊技者が操作して遊技球の発射を一時的に停止する発射停止スイッチ８ｂが配置されている。
【００２３】
施錠装置９は、中枠３の右端中央に設けられており、前面枠４を閉じた場合にこれを施錠するためのものである。
【００２４】
また、遊技機１には、遊技状態に応じた効果音等を発生させるためのスピーカ１０ａ〜１０ｄが設けられている。スピーカ１０ａ〜１０ｄは、遊技機１の上部に設けられた上部スピーカ１０ａ、１０ｂと遊技機１の下部に設けられた下部スピーカ１０ｃ、１０ｄとからなる。さらに、遊技機１の左側には、プリペイドカードユニット１３（ＣＲユニット）が装着されている。
【００２５】
次に、本実施例の遊技盤２０の表面構造について説明する。図２は遊技盤２０の正面図である。遊技盤２０は、略長方形の木製の板状体であって中枠３に着脱可能に取り付けられているとともに、裏機構盤（図示略）によりその背面側が覆われている。
【００２６】
図２に示すように、遊技盤２０には、遊技盤２０の表面（盤面）に設けられた外レール２２と内レール２３とにより、略円形状の遊技領域２１が形成されている。遊技領域２１内には、中央装置２４、普通図柄作動ゲート２７、大入賞装置（特別電動役物）３３、始動口２８、左入賞口３４，３５、右入賞口３６，３７、第１装飾部材５０、第２装飾部材６０等の遊技装置が配設されている。また、遊技領域２１には各遊技装置との位置バランスを考慮して多数の障害釘が配設されている。
【００２７】
中央装置（センター役物）２４は遊技領域２１の略中央部に配置され、演出表示装置２５を備えている。本実施例では、演出表示装置２５として大型の液晶表示装置を用いており、演出表示装置２５の表示領域では各種演出表示が行われる。
【００２８】
大入賞装置３３は遊技領域２１における中央装置２４の下方に配置されている。第１装飾装置５０は遊技領域２１における大入賞装置３３の左側に配置され、第２装飾装置６０は遊技領域２１における大入賞装置３３の右側に配置されており、装飾装置５０，６０はいわゆるサイド飾りを構成している。また、第１装飾装置５０には左入賞口３４，３５が一体化されており、第２装飾装置６０には右入賞口３６，３７が一体化されている。
【００２９】
普通図柄作動ゲート２７は、中央装置２４の左側に設けられている。普通図柄作動ゲート２７の内部には、遊技球の通過を検知する普通図柄作動ゲート検知スイッチ２７ｓ（図４参照）が設けられている。遊技球が普通図柄作動ゲート２７を通過することで、普通図柄が変動開始する。
【００３０】
始動口２８は、中央装置２４の中央位置の下方に設けられている。始動口２８は、遊技盤２０の盤面上を流下する遊技球を受け入れる遊技球受入口が形成された２つの入球口を上下方向に並べて配置したもので、上側に設けられた第１始動口２８ａと下側に設けられた第２始動口２８ｂとから構成されている。
【００３１】
第１始動口２８ａは、遊技球受入口の大きさが変化せず遊技球の入球可能性が一定とされる固定式の始動口として構成されており、遊技球の入球が常時可能となっている。一方、第２始動口２８ｂはいわゆるチューリップ式で左右に一対の翼片部を備えており、この一対の翼片部の上端間隙が遊技球受入口となっている。この一対の翼片部は、各々左右方向に傾動することで開閉動作を行うものとされており、この開閉動作により、第２始動口２８ｂは一対の翼片部の遊技球受入口の大きさが変化する可変式の始動口として構成されている。
【００３２】
始動口２８の内部には、遊技球の入球を検知する始動口入球検知スイッチ２８ｓ（図４参照）と、一対の翼片部を作動させるための始動口ソレノイド２８ｃ（図４参照）とが備えられている。始動口入球検知スイッチ２８ｓは、第１始動口２８ａに入球した遊技球を検知するスイッチと、第２始動口２８ｂに入球した遊技球を検知するスイッチの２種類のスイッチから構成されている。第２始動口２８ｂの一対の翼片部が左右に開動作した場合には、第２始動口２８ｂの遊技球受入口の大きさが通常時より拡大され、第２始動口２８ｂは遊技球の入球可能性が大きくなる開放状態となる。一方、一対の翼片部が立設された場合には、第２始動口２８ｂの遊技球受入口の大きさが遊技球の直径より僅かに大きい（遊技球１個が通過可能な）通常の大きさとされ、第２始動口２８ｂは遊技球の入球可能性が小さくなる（または入球不能となる）通常状態（閉鎖状態）となる。遊技球が始動口２８ａ、２８ｂに入球することで、後述の特別図柄が変動開始する。
【００３３】
大入賞装置３３は、始動口２８の下方に配設されている。ここで、大入賞装置３３は、帯状に開口された大入賞口３３ａと、この大入賞口３３ａを開放・閉鎖する開閉板３３ｂと、この開閉板３３ｂを作動させるための大入賞口ソレノイド３３ｃ（図４参照）と、遊技球の入球を検知する入球検知スイッチ３３ｓ（図４参照）とから主に構成されている。
【００３４】
大入賞装置３３の左斜め上方と右斜め上方には、左入賞口３４，３５と右入賞口３６，３７が設けられている。これら入賞口の内部には、それぞれ入賞口入球検知スイッチ（図示せず）が設けられている。
【００３５】
第１装飾部材５０には、複数のＬＥＤが設けられており、これらのＬＥＤの組合せにより、普通図柄表示部５１、普図保留表示部５２、特別図柄保留表示部５３が構成されている。同様に第２装飾部材６０には、複数のＬＥＤが設けられており、これらのＬＥＤの組合せにより、特別図柄表示部６１が構成されている。
【００３６】
普通図柄表示部５１は、１個のＬＥＤから構成されており、このＬＥＤにより普通図柄の表示が行われる。普通図柄表示部５１では、普通図柄の変動表示及び停止表示が行われる。普通図柄表示部５１では、普通図柄作動ゲート２７を遊技球が通過することにより普通図柄が変動開始し、所定時間経過後に普通図柄が当り普通図柄の表示態様あるいは外れ普通図柄の表示態様で停止表示される。そして、普通図柄が予め設定された当り普通図柄の表示態様で停止表示すると、第２始動口２８ｂが所定時間（例えば０．１秒）だけ開放される。
【００３７】
本実施例では、普通図柄当否判定用乱数が用意されており、この普通図柄当否判定用乱数は、遊技球が普通図柄作動ゲート２７を通過した際に、第２始動口２８ｂを作動させるか否かの普通図柄当否判定に用いられる。普通図柄当否判定用乱数には、予め当り値が設定されており、遊技球が普通図柄作動ゲート２７を通過したタイミングで取得された普通図柄当否判定用乱数が当り値と一致する場合に当りと判定される。そして、当りと判定された場合には、普通図柄表示部５１で停止表示される普通図柄は、当り普通図柄の表示態様に決定される。一方、外れと判定された場合（取得された普通図柄当否判定用乱数が当り値と一致しない場合）には、普通図柄表示部５１で停止表示される普通図柄は外れ普通図柄の表示態様に決定される。なお、普通図柄当否判定および普通図柄の停止図柄の決定は、後述の主制御部２００によって行われる。
【００３８】
ここで、普通図柄の保留について説明する。普図保留表示部５２には普通図柄保留数が表示され、普通図柄作動ゲート２７を通過した遊技球の数を最大保留数（本実施例では４個）まで保留可能となっている。そして、次回の普通図柄当否判定が行われ普通図柄の変動表示が開始する毎に、未始動回数（保留数）が消化され、普通図柄保留数が１個ずつ減少する。普図保留表示部５２は２つのＬＥＤからなり、２個のＬＥＤの消灯、点灯、および点滅を組み合わせることで、４個を上限として保留数を表示することができる。普通図柄の保留および保留消化は、後述の主制御部２００によって行われる。普通図柄の保留に伴って、普通図柄当否判定用乱数が主制御部２００のＲＡＭの所定領域に記憶される。
【００３９】
次に、特別図柄について説明する。特別図柄表示部６１は、７個のＬＥＤから構成されており、これらのＬＥＤにより特別図柄が表示される。特別図柄表示部６１を構成する各ＬＥＤは、点灯および消灯が可能となっており、これら各ＬＥＤの点灯および消灯の組合せにより特別図柄の複数の表示態様を表示できる。そして、７個のＬＥＤで表示される特別図柄の組合わせのうち、特定の組合せが当り特別図柄（大当り図柄）として設定されており、当り特別図柄以外が外れ特別図柄（外れ図柄）と設定されている。本実施例では、特別図柄の変動表示を各ＬＥＤが点灯と消灯を繰り返す点滅表示で行うものとしている。
【００４０】
特別図柄表示部６１では、始動口２８に遊技球が入球することにより特別図柄が変動開始し、所定時間経過後に特別図柄が大当り図柄あるいは外れ図柄で停止表示される。本実施例では、遊技球が始動口２８に入球した際に取得され、大当り遊技（特別遊技）を実行するか否かの特別図柄当否判定に用いられる第１特別図柄当否判定用乱数が設けられている。さらに、特別図柄の停止図柄を決定するための特別図柄決定用乱数が設けられている。
【００４１】
始動口２８の遊技球入球に伴って、特別図柄当否判定用乱数と特別図柄決定用乱数が取得され、この取得された特別図柄当否判定用乱数と特別図柄決定用乱数は、主制御部２００のＲＡＭの所定領域（保留記憶領域）に記憶される。
【００４２】
ここで、特別図柄の保留について説明する。特別図柄保留表示部５３は２つのＬＥＤからなり、２個のＬＥＤの消灯、点灯、および点滅を組み合わせることで、それぞれ４個を上限として保留数を表示することができる。
【００４３】
始動口２８に入球した遊技球数は、特別図柄保留数として最大保留数（本実施例では４個）に達するまで保留可能となっている。そして、第１特別図柄保留数は、特別図柄当否判定が行われ第１特別図柄の変動表示が開始される毎に消化され、１個ずつ減少する。なお、特別図柄の保留（特別図柄用乱数の取得・記憶）、保留消化（特別図柄当否判定）は、後述の主制御部２００によって行われる。
【００４４】
特別図柄当否判定は、特別図柄が変動表示を開始する際に行われる。特別図柄当否判定用乱数には、当否判定用の当り値が設定されており、遊技球が始動口２８に入球したタイミングで取得された特別図柄当否判定用乱数が当り値と一致する場合に大当りと判定される。
【００４５】
そして、特別図柄当否判定の結果が大当りの場合には、特別図柄表示部６１で停止表示される特別図柄は大当り図柄（確変大当り図柄または通常大当り図柄）に決定される。なお、特別図柄の大当り図柄の種類は特別図柄決定用乱数に基づき決定される。一方、特別図柄当否判定が外れの場合には、特別図柄表示部６１で停止表示される特別図柄が外れ図柄に決定される。
【００４６】
特別図柄は、所定の変動パターンにしたがって変動表示するように構成されている。この変動パターンは、特別図柄の変動時間や、その変動におけるリーチ演出の有無（演出内容）を規定するものである。特別図柄の変動パターンは、特別図柄当否判定が実行される際に、複数の変動パターンが格納された変動パターンテーブル（変動パターン記憶手段）から抽選により選択される。
【００４７】
特別図柄の変動パターンテーブルは、それぞれ複数用意されており、遊技状態に応じて選択されて用いられる。これらの複数の変動パターンテーブルには、当否判定結果が大当りの場合に選択される当り変動パターンテーブルと、当否判定結果が外れの場合に選択される外れ変動パターンテーブルとが含まれている。
【００４８】
また、特別図柄当否判定、特別図柄の変動態様の決定、特別図柄の停止図柄の決定、特別図柄の変動表示および停止表示は、後述の主制御部２００によって行われるように構成されている。
【００４９】
次に、大当り遊技（特別遊技）について説明する。特別図柄表示部６１で停止表示された第１特別図柄が当り特別図柄であった場合（特別図柄当否判定の結果が大当りだった場合）に、主制御部２００は遊技者に相対的に有利な大当り遊技（特別遊技）を開始させる。大当り遊技は、大入賞装置３３を作動させる、換言すると大入賞口３３ａを複数回開閉させることで、大入賞口３３ａへの遊技球の入球に関して遊技者に利益（賞球）を付与するものであり、主制御部２００が本発明の大当り遊技実行手段に相当している。大当り遊技は、後述の特別電動役物遊技処理が繰り返し実行されることによって実現される。
【００５０】
大当り遊技中（特別遊技中）は、大入賞装置３３が作動し、大入賞口３３ａへの遊技球の入球に応じて、所定数の賞球（例えば、１個の入球に対して１５個の賞球）が払い出される。具体的には、大当り遊技の開始により、大入賞装置（特別電動役物）３３を連続して作動させ、大入賞口３３ａを開放状態と閉鎖状態とに切り替える大入賞口開閉動作が複数回連続して行われる。大入賞装置３３の作動開始により、大入賞口３３ａが開放状態となる。この開放状態は、所定の終了条件成立により終了し、開放していた大入賞口３３ａが閉鎖状態となる。所定の終了条件として、大入賞口３３ａの開放時間が所定時間（本実施例では３０秒）に達したとき、もしくは開放状態の大入賞口３３ａに入球した遊技球数が所定数（本実施例では１０個）に達したときとすることができる。
【００５１】
この大入賞口３３ａの開放状態の開始から終了までを１ラウンドとした場合、大当り遊技は、所定数のラウンドが行われることで終了する。大入賞装置３３では、大入賞口３３ａの開放が終了、すなわち大入賞口３３ａが閉鎖状態となってから所定時間（例えば３０秒）が経過した後に、大入賞口３３ａは再び開放状態となり、次のラウンドが開始する。このような大入賞口３３ａの開放開始から終了までを１ラウンドとする大入賞口３３ａの開閉動作は、所定の最高継続ラウンド数（本実施例では１５ラウンド）が終了するまで繰り返し継続される。
【００５２】
本実施例の遊技機では、大当り遊技の終了後、変動時間短縮機能や開放時間延長機能、確率変動機能が作動する特定遊技（いわゆる時短遊技および確変遊技）が開始される。特別図柄当否判定には、複数種類の大当りが設定されており、特別図柄当否判定の結果が通常大当り（特別図柄の停止図柄が通常大当り図柄）の場合には、大当り遊技終了後、時短遊技が開始され、特別図柄当否判定の結果が確変大当り（特別図柄の停止図柄が確変大当り図柄）の場合には、大当り遊技終了後、確変遊技が開始される。
【００５３】
特別図柄当否判定の結果が通常大当り（特別図柄の停止図柄が通常大当り図柄）の場合には、大当り遊技の終了後、変動時間短縮機能および第２始動口２８ｂの開放時間を延長させる開放時間延長機能が作動開始し、時短遊技が開始される。変動時間短縮機能（変動時間短縮手段）には、普通図柄変動時間を短縮させる普通図柄変動時間短縮機能と、特別図柄変動時間を短縮させる特別図柄変動時間短縮機能とが含まれている。変動時間短縮機能および開放時間延長機能は、大当り遊技終了後、次回の大当り遊技が開始されるまでの間、または特別図柄の変動回数が所定回数（本例では１００回）に到達するまで作動する。開放時間延長機能の作動により、第２始動口２８ｂの開放時間が、例えば、通常時「０．１秒」であったのが「４．５秒（１．５秒×３回開放あるいは４．５秒×１回開放など）」に延長される。これにより、第２始動口２８ｂへの遊技球入球頻度が、通常時（開放延長機能未作動時）に比べて高くなる。なお、変動時間短縮機能および開放時間延長機能は、主制御部２００の制御により作動または停止されるものである。
【００５４】
特別図柄当否判定の結果が確変大当り（特別図柄の停止図柄が確変大当り図柄）の場合には、大当り遊技の終了後、確率変動機能が作動開始し、確変遊技が開始される。確変遊技では、上記変動時間短縮機能および開放時間延長機能に加え、特別図柄当否判定の確率、すなわち特別図柄が大当り図柄で停止表示する確率を変更（向上）させる確率変動機能（確率変動手段）が作動する。確率変動機能作動中は、当否判定用の当り値が増加することで、特別図柄当否判定の確率が向上する。確率変動機能は、大当り遊技終了後、次回の大当り遊技が開始されるまで作動する。なお、確変遊技は、主制御部２００の制御により実現されるものである。
【００５５】
次に、演出表示装置２５で表示される演出図柄について説明する。演出表示装置２５の表示領域には、演出図柄を表示する演出図柄表示部が設けられている。演出図柄表示部の演出図柄は特別図柄表示部６１の特別図柄の変動表示および停止表示に連動して表示される。
【００５６】
演出図柄表示部は、左図柄が表示される左図柄表示領域、中図柄が表示される中図柄表示領域、右図柄が表示される右図柄表示領域からなる３つの図柄表示領域から構成されている。各図柄表示領域は、これらの表示領域の配置方向と略直交する向き、この場合、上下方向（縦方向）に図柄変動方向が設定されている。各図柄表示領域は、「１」〜「９」からなる図柄をそれぞれ表示可能となっている。
【００５７】
演出図柄は、特別図柄の変動表示開始により変動表示を開始し、特別図柄が何れかの図柄で停止表示されると、演出図柄は特別図柄の停止図柄に応じた図柄で停止表示される。つまり、演出図柄は特別図柄と同期して変動表示を開始し、かつ、特別図柄と同期して変動表示を終了して停止表示するものである。演出図柄では、３桁同一の偶数図柄の組合せが特別図柄の通常大当り図柄に対応し、３桁同一の奇数図柄の組合せが特別図柄の確変大当り図柄に対応している。そして、それら以外の図柄の組合せが特別図柄の外れ図柄に対応している。
【００５８】
演出図柄の変動態様（変動パターン）および停止図柄の決定は、主制御部２００から送信される変動パターン指定コマンドに基づいてサブ制御部２６０によって行われるように構成されている。ここで、主制御部２００から送信される変動パターン指定コマンドは、特別図柄の変動パターンを示すもので、具体的には、特別図柄の変動時間や、３桁の演出図柄のうち２桁が同一図柄で停止表示されるリーチ演出（大当りに至る可能性のある状態が継続していることをを示す演出）の有無等の演出内容を示している。主制御部２００は、特別図柄の当否判定結果に応じて特別図柄の変動パターンをランダムに（乱数抽選により）決定する。そして、主制御部２００により決定された特別図柄の変動パターンに基づき、サブ制御部２６０が、演出図柄表示部２５ａで表示される演出図柄の演出パターンを決定する。
【００５９】
次に、本実施例の遊技機１の裏面構造について図３に基づいて説明する。図３は遊技機１の裏機構盤１００の正面図である。
【００６０】
図３に示すように、裏機構盤１００は中枠３における遊技盤２０の反対面に設けられており、一対のヒンジ１０１により中枠３に開閉可能に取り付けられている。裏機構盤１００の中央付近には、前面側に演出表示装置２５が取り付けられ、背面側に演出図柄制御基板ケース１０２、サブ制御基板ケース１０３がそれぞれ取り付けられた裏ケース１０４が設けられている。裏ケース１０４の下方には主制御基板ケース１０５が設けられている。主制御基板ケース１０５の前面側には、遊技盤２０において演出表示装置２５の下方に設けられた始動口２８（図２参照）が配置されている。裏機構盤１０２の右下方部であって、主制御基板ケース１０５より下方には、払出制御基板ケース１０６が設けられている。これらの基板ケースには、後述の各種制御基板が格納されている。
【００６１】
次に、本実施例の遊技機１の電子制御装置について、図４に基づいて説明する。図４は、電子制御装置の概略構成を示すブロック図である。
【００６２】
図４に示すように、電子制御装置は、主制御部２００と、その主制御部２００に接続された副制御部２３０、２６０、２８０とを含んで構成されている。副制御部は、払出制御部（賞球制御部）２３０、サブ制御部２６０及び演出表示制御部２８０から構成される。主制御部２００は主制御基板２００ａを備え、副制御部２３０、２６０及び２８０は周辺制御基板として払出制御基板２３０ａ、サブ制御基板２６０ａ及び演出表示制御基板２８０ａをそれぞれ備えている。これらの各制御基板や、その他の基板（電源基板、中継基板、駆動基板、装飾基板、アンプ基板、演出ボタン基板など）は、遊技機１の裏面側に配置される。
【００６３】
各制御部２００、２３０、２６０、２８０には、図示しない主電源から電源が供給されている。また、電源立上げ時には、システムリセット信号が各制御部２００、２３０、２６０、２８０に送信される。なお、本実施例の遊技機１は、電源断時に主制御部２００及び払出制御部２３０に作動電圧を供給する図示しないバックアップ電源部（図示略）を備えており、電源断時にも主制御部２００及び払出制御部２３０のＲＡＭデータが保持される。
【００６４】
主制御部２００は、遊技全体の進行を司る主制御手段を構成するものであり、各副制御部２３０、２６０に処理内容を指示する指令信号（コマンドデータ）を送信し、各副制御部２３０、２６０、２８０は指令信号に基づいて各種制御を行うように構成されている。
【００６５】
主制御部２００を構成する主制御基板２００ａのＣＰＵ２００ｂは、ＣＰＵコア、内蔵ＲＡＭ（以下、単にＲＡＭともいう）、内蔵ＲＯＭ（以下、単にＲＯＭともいう）等を備えており、ＲＯＭに格納された制御プログラムにより、ＲＡＭをワークエリアとして遊技機１全体の作動制御（遊技の基本進行制御）を司る。また、主制御部２００は、ＣＰＵ２００ｂが主体となって、ＲＯＭに格納された当否判定プログラムにより特別図柄の当否判定（大当り抽選）を行う当否判定手段を構成している。また、主制御部２００のＣＰＵ２００ｂは、特別図柄当否判定を実行する際に、ＲＯＭに格納された特別図柄の変動パターンテーブルから特定の変動パターンを決定する。なお、本実施例の主制御部２００のＣＰＵ２００ｂの制御周期は２ｍｓに設定されている。
【００６６】
主制御部２００には、盤面入力中継基板２０１と盤面出力中継基板２０２とが接続されている。盤面入力中継基板２０１には、普通図柄作動ゲート検知スイッチ２７ｓ、始動口入球検知スイッチ２８ｓ、大入賞口入球検知スイッチ３３ｓが接続されており、これらの信号が主制御部２００に入力するように構成されている。盤面出力中継基板２０２には、図柄表示装置５１、６１、始動口ソレノイド２８ｃ、大入賞口ソレノイド３３ｃが接続されており、主制御部２００からの制御信号が出力される。さらに、図示を省略しているが、主制御部２００には、外部装置と接続するための外部接続端子を備えた枠用外部端子基板が接続されており、主制御部２００から外部装置への信号出力が可能となっている。
【００６７】
また、主制御部２００の主制御基板２００ａには、電波検出回路３００が設けられている。電波検出回路３００については後述する。
【００６８】
払出制御部２３０を構成する払出制御基板２３０ａは、主制御部２００のＣＰＵ２００ｂと同様の構成を有するＣＰＵ２３０ｂを備えている。払出制御部２３０には、発射制御部２５０、ＣＲユニット１３等が接続されている。主制御部２００から払出制御部２３０には、賞球払出を指示する賞球指示コマンド、遊技開始許可を指示する遊技開始許可信号、各種発射制御コマンド等のコマンドが送信される。各種発射制御コマンドには、球送り許可・禁止、発射許可・禁止、遊技開始許可等が含まれている。
【００６９】
払出制御基板２３０ａのＣＰＵ２３０ｂは、主制御部２００からの賞球指示コマンドを受信すると、そのコマンドが示す賞球数に基づいて、遊技機１の裏面側に設けられた図示しない遊技球払出装置の払出モータを回転駆動することにより、指定された賞球数分の遊技球の払い出し（賞球払出）を行う。この遊技球の払い出し（賞球払出）は、遊技機１の裏面側上部に設けられた図示しない遊技球タンクに貯留された遊技球を、図示しない遊技球レールを介して遊技球払出装置に供給し、その供給された遊技球を遊技球払出装置の払出モータの回転駆動により排出することで行われる。
【００７０】
発射制御部２５０には、タッチスイッチ８ａ、発射停止スイッチ８ｂ等が接続されており、これらのスイッチ８ａ、８ｂから操作信号が入力する。また、ＣＲユニット１３には、球貸ボタン５ｅが接続されており、球貸信号が入力する。
【００７１】
サブ制御部２６０は、遊技の進行に伴って実行される各種演出を制御するサブ制御手段を構成しており、サブ制御基板２６０ａにはＣＰＵ２６０ｂや図示しないＲＯＭ、ＲＡＭ、入出力ポート等を有する演算回路構成要素とサウンドジェネレータが設けられており、入出力ポートにおいて主制御部２００に接続されている。サブ制御部２６０は、各種ランプ類による装飾表示、スピーカ１０ａ〜１０ｄから出力される効果音、演出表示装置２５による図柄表示等を用いた演出制御を司るように構成されている。
【００７２】
主制御部２００からサブ制御部２６０には、各種ランプ制御コマンド及び各種音声制御コマンドが送信される。主制御部２００から演出表示制御部２８０には、サブ制御部２６０を介して、演出図柄の表示制御を指示する各種図柄制御制御コマンドが送信される。サブ制御部２６０から演出表示制御部２８０には、演出表示制御を指示する各種演出表示制御コマンドが同時に送信される。
【００７３】
サブ制御部２６０には、演出表示制御部２８０が接続されている。演出表示制御基板２８０ａには、ＣＰＵ２８０ｂ、ＲＡＭ、ＲＯＭ、入出力ポート、ＶＤＰ（ビデオディスプレイプロセッサ）等を有する演算回路構成要素（図示略）が設けられ、入出力ポートにおいてサブ制御基板２６０に接続されている。演出表示制御部２８０には演出表示装置２５が接続されている。演出表示制御部２８０は、ＣＰＵ２８０ｂがＲＯＭに格納された制御プログラムに従ってＲＡＭをワークエリアとして演出表示装置２５の表示制御を行うように構成されている。演出表示制御部２８０のＲＯＭには、演出表示装置２５で表示される演出用図柄の画像データ（前述した変動演出に関する画像データなど）が複数格納されている。
【００７４】
サブ制御部２６０には、装飾駆動基板２６１を介して各種ＬＥＤ・ランプ２６２が接続されている。各種ＬＥＤ・ランプ２６２は、遊技効果を高めるためのものであり、これらのランプ類はゲームの進行に対応して点灯・消灯又は点滅し、遊技効果を高めている。また、サブ制御部２６０にはアンプ基板２６３が接続されている。アンプ基板２６３にはスピーカ１０ａ〜１０ｄが接続されている。スピーカ１０ａ〜１０ｄからは、遊技の進行に対応して各種サウンド、音声等が出力される。さらに、サブ制御部２６０には、演出ボタン基板２６４を介して演出ボタン５ｄが接続されている。
【００７５】
サブ制御部２６０は、主制御部２００や演出ボタン５ｄからの各種指令（演出パターン指定コマンドの受信、演出ボタン操作信号の入力など）に基づいて、各種ＬＥＤ・ランプの点灯・点滅パターンの選択・実行処理や、スピーカ１０ａ〜１０ｄから出力される効果音データの選択・出力処理や、演出表示装置２５での演出表示のパターンの選択・実行処理等を行う。
【００７６】
次に、主制御部２００に設けられた電波検出回路３００について説明する。電波検出回路３００は、遊技機１の各種電子回路に影響を及ぼすおそれのある誘導電圧を検出するように構成されている。
【００７７】
図３に基づいて上述したように、主制御基板２００ａを収納した主制御基板ケース１０５は、遊技盤２０の始動口２８の裏側に設けられているため、主制御基板２００ａは始動口入球検知スイッチ２８ｓの近傍に位置している。そして、本実施例の電波検出回路３００は、主制御基板２００ａの内部に設けられている。
【００７８】
これは、始動口入球検知スイッチ２８ｓが、電波を照射される不正行為の対象となる場合が多く、電波検出回路３００を始動口入球検知スイッチ２８ｓの近くに配置することにより、不正な電波を感知し易くするためである。もちろん、電波検出回路３００の感度を上げることにより、始動口入球検知スイッチ２８ｓから離れた場所でも不正な電波を検出することは可能である。しかしながら、遊技機１の場合は、遊技場に複数の遊技台が隣接して並べられるのが通例であり、電波検出回路３００の感度を上げることで、隣接する遊技機１に対する不正電波を検出することは好ましくないため、本実施例では不正な電波が照射されると予想される場所（始動口入球検知スイッチ２８ｓ）に近い場所（主制御基板２００ａ）に電波検出回路３００を設置している。
【００７９】
図５は、電波検出回路３００の回路図である。電波検出回路３００には、外部と接続するためのコネクタ３０１が設けられている。コネクタ３０１には、電源端子Ｖｃｃ、出力端子ＯＵＴ、グランド端子ＧＮＤが設けられている。本実施例では、電源端子Ｖｃｃから供給される電源電圧は１２ボルトに設定されている。コネクタ３０１の出力端子ＯＵＴは、主制御部２００のＣＰＵ２００ｂに接続されている。
【００８０】
電源端子Ｖｃｃとグランド端子ＧＮＤとの間には、第１抵抗３０２、第２抵抗３０３、第３抵抗３０４、第４抵抗３０５が直列接続されており、これらの抵抗３０２〜３０５は分圧抵抗として構成されている。本実施例の第２抵抗３０３と第３抵抗３０４は、可変抵抗として構成されている。第１抵抗３０２と第２抵抗３０３の間には、第２基準電圧設定ラインＬ２が接続され、第２抵抗３０３と第３抵抗３０４の間には、第１基準電圧設定ラインＬ１が接続され、第３抵抗３０４と第４抵抗３０５の間には、誘導電圧設定ラインＬ３が接続されている。
【００８１】
第１基準電圧設定ラインＬ１は、所定の第１基準電圧Ｖ１を設定し、第２基準電圧設定ラインＬ２は、第１基準電圧より高い第２基準電圧Ｖ２を設定し、誘導電圧設定ラインＬ３は、第１基準電圧より低い電圧Ｖ３を設定する。後述するように、第１基準電圧Ｖ１と第２基準電圧Ｖ２は、遊技機１に対して外部から電磁波が照射された場合に変化せず、誘導電圧Ｖ３は、遊技機１に対して外部から電磁波が照射された場合に上昇するように構成されている。本実施例では、第１基準電圧Ｖ１は、隣接する遊技機１で電波を照射する不正行為が行われた場合の誘導電圧Ｖ３より低い電圧値に設定し、第２基準電圧Ｖ２は、当該遊技機１で電波を照射する不正行為が行われた場合の誘導電圧Ｖ３より低い電圧値に設定している。
【００８２】
第１基準電圧設定ラインＬ１には、第１ダイオード３０６が設けられており、第２基準電圧設定ラインＬ２には、第１ダイオード３０６と同一構成の第２ダイオード３０７が設けられており、誘導電圧設定ラインＬ３には、第１ダイオード３０６および第２ダイオード３０７と同一構成の第３ダイオード３０８が設けられている。第１基準電圧設定ラインＬ１には、第１コンデンサ３０９が第１ダイオード３０６に対して並列接続されており、第２基準電圧設定ラインＬ２には、第２コンデンサ３１０が第２ダイオード３０７に対して並列接続されている。
【００８３】
第１基準電圧設定ラインＬ１と誘導電圧設定ラインＬ３の電圧は、第１コンパレータ３１１に入力し、第２基準電圧設定ラインＬ２と誘導電圧設定ラインＬ３の電圧は、第２コンパレータ３１２に入力する。第１コンパレータ３１１は、第１基準電圧設定ラインＬ１が設定する電圧Ｖ１と誘導電圧設定ラインＬ３が設定する電圧Ｖ３とを入力し、その大小関係を示す電圧を出力する第１比較手段を構成する。第２コンパレータ３１２は、第２基準電圧設定ラインＬ２が設定する電圧Ｖ２と誘導電圧設定ラインＬ３が設定する電圧Ｖ３とを入力し、その大小関係を示す電圧を出力する第２比較手段を構成している。第１コンパレータ３１１の出力ラインは、コネクタ３０１の第１出力端子ＯＵＴLOWに接続され、第２コンパレータ３１２の出力ラインは、コネクタ３０１の第２出力端子ＯＵＴHIに接続され、第１コンパレータ３１１と第２コンパレータ３１２の出力電圧は、主制御部２００のＣＰＵ２００ｂに入力するようになっている。
【００８４】
第１基準電圧設定ラインＬ１とグランド端子ＧＮＤとの間には、第１基準電圧設定ラインＬ１の電圧Ｖ１を安定させるために、第５抵抗３１３と第３コンデンサ３１４が設けられている。第２基準電圧設定ラインＬ２とグランド端子ＧＮＤとの間には、第２基準電圧設定ラインＬ２の電圧Ｖ２を安定させるために、第６抵抗３１５と第４コンデンサ３１６が設けられている。誘導電圧設定ラインＬ３とグランド端子ＧＮＤとの間には、誘導電圧設定ラインＬ３の電圧Ｖ３を安定させるために、第７抵抗３１７と第５コンデンサ３１８が設けられている。
【００８５】
電波検出回路３００には、外部から照射される電磁波を受信して誘導電圧を発生させるアンテナ３１９が設けられている。アンテナ３１９は、第１抵抗３０２、第２抵抗３０３、第３抵抗３０４に対して並列接続された配線として構成されている。図５では、アンテナ３１９をコイルとして記載しているが、実際には電源端子Ｖｃｃから第３抵抗３０４と第４抵抗３０５の間に至るループ状の配線全体がアンテナとして機能する。また、アンテナ３１９には、直流成分をカットするための第６コンデンサ３２０が直列接続されている。
【００８６】
本実施例では、第１抵抗３０２の抵抗値Ｒ１を４７０ｋΩ、第２抵抗３０３の抵抗値Ｒ２を２０ｋΩ、第３抵抗３０４の抵抗値Ｒ３を２０ｋΩ、第４抵抗３０５の抵抗値Ｒ４を４７０ｋΩ、第５抵抗３１３の抵抗値Ｒ５と第６抵抗３１５の抵抗値Ｒ６と第７抵抗３１７の抵抗値Ｒ７を１ＭΩとしている。そして、第１コンデンサ３０９、第２コンデンサ３１０、第３コンデンサ３１４、第４コンデンサ３１６、第５コンデンサ３１８、第６コンデンサ３２０の容量をすべて２２０ｐＦとしている。
【００８７】
第１基準電圧設定ラインＬ１の電圧Ｖ１は、電源電圧１２ボルトを第１、第２抵抗３０２、３０３と第３、第４抵抗３０４、３０５で分圧したものであり、Ｖ１＝Ｖｃｃ×（（Ｒ３＋Ｒ４）／（Ｒ１＋Ｒ２＋Ｒ３＋Ｒ４））−ＶFにより得られる。第２基準電圧設定ラインＬ２の電圧Ｖ２は、電源電圧１２ボルトを第１抵抗３０２と第２抵抗３０３乃至第４抵抗３０５で分圧したものであり、Ｖ１＝Ｖｃｃ×（（Ｒ２＋Ｒ３＋Ｒ４）／（Ｒ１＋Ｒ２＋Ｒ３＋Ｒ４））−ＶFにより得られる。誘導電圧設定ラインＬ３の電圧Ｖ３は、電源電圧１２ボルトを第１抵抗３０２乃至第３抵抗３０４と第４抵抗３０５で分圧したものであり、Ｖ２＝Ｖｃｃ×（Ｒ４／（Ｒ１＋Ｒ２＋Ｒ３＋Ｒ４））−ＶFにより得られる。ＶFはダイオード３０６、３０７、３０８のドロップ電圧であり、これらのダイオード３０６、３０７、３０８は同一の構成であるのでドロップ電圧も同一であり、本実施例では０．６ボルトとなっている。このため、第１基準電圧設定ラインＬ１の電圧Ｖ１は５．４ボルトであり、第２基準電圧設定ラインＬ２の電圧Ｖ２は５．６ボルトであり、誘導電圧設定ラインＬ３の電圧Ｖ３は５．２ボルトとなる。このため、外部から電磁波を照射されていない通常状態では、第２基準電圧設定ラインＬ２の電圧Ｖ２＞第１基準電圧設定ラインＬ１の電圧Ｖ１＞誘導電圧設定ラインＬ３の電圧Ｖ３となる。このため、外部から電磁波が照射されていない通常状態では、第１コンパレータ３１１と第２コンパレータ３１２の出力状態はハイ出力となっている。
【００８８】
電源端子Ｖｃｃと、第１コンパレータ３１１および第２コンパレータ３１２それぞれの出力側との間には、１個の第８抵抗３２１が設けられている。第８抵抗３２１はプルアップ抵抗であり、第１コンパレータ３１１および第２コンパレータ３１２のハイ出力を保障するものである。第８抵抗３２１と第１コンパレータ３１１の出力側との間には、第１コンパレータ３１１の出力状態によって点灯・消灯が切り替わる第１ＬＥＤ３２２が設けられ、第８抵抗３２１と第２コンパレータ３１２の出力側との間には、第２コンパレータ３１２の出力状態によって点灯・消灯が切り替わる第２ＬＥＤ３２３が接続されている。
【００８９】
また、第１コンパレータ３１１の出力側とグランド端子ＧＮＤとの間には、第１コンパレータ３１１の出力のチャタリング防止用に第７コンデンサ３２４が設けられており、第２コンパレータ３１２の出力側とグランド端子ＧＮＤとの間には、第２コンパレータ３１２の出力のチャタリング防止用に第８コンデンサ３２５が設けられている。さらに、電源端子Ｖｃｃとグランド端子ＧＮＤとの間には、バイパスコンデンサとして第９コンデンサ３２６が設けられている。
【００９０】
次に、外部から電磁波を照射された場合における電波検出回路３００の作動について説明する。
【００９１】
遊技機１に対して外部から電磁波が照射された場合には、アンテナ３１９にて誘導電圧が発生する。そして、第６コンデンサ３２０にて直流成分がカットされた誘導電圧が誘導電圧設定ラインＬ３の第３ダイオード３０８で検波され、さらに第５コンデンサ３１８にて平滑化される。この結果、アンテナ３１９で発生した誘導電圧は直流電圧となって、誘導電圧設定ラインＬ３の電圧Ｖ３を上昇させる。
【００９２】
一方、第３抵抗３０４は、第１基準電圧設定ラインＬ１と誘導電圧設定ラインＬ３に電位差を持たせるための小さな抵抗値であり、第２抵抗３０３と第３抵抗３０４は、第２基準電圧設定ラインＬ２と誘導電圧設定ラインＬ３に電位差を持たせるための小さな抵抗値であるため、アンテナ３１９で発生した誘導電圧は、第１基準電圧設定ラインＬ１と第２基準電圧設定ラインＬ２にも印加される。しかしながら、第１基準電圧設定ラインＬ１に流れる誘導電流は、第１ダイオード３０６と並列接続された第１コンデンサ３０９を経由するため、第１ダイオード３０６で検波されることがなく直流電流とならず、第２基準電圧設定ラインＬ２に流れる誘導電流は、第２ダイオード３０７と並列接続された第２コンデンサ３１０を経由するため、第２ダイオード３０７で検波されることがなく直流電流とならない。このため、アンテナ３１９で誘導電圧が発生しても、第１基準電圧設定ラインＬ１の電圧Ｖ１と第２基準電圧設定ラインＬ２の電圧Ｖ２は変動しない。この結果、アンテナ３１９で誘導電圧が発生した場合には、その誘導電圧の大きさ、つまり外部から照射された電磁波の大きさに比例して、誘導電圧設定ラインＬ３の電圧Ｖ３のみが上昇する。
【００９３】
そして、誘導電圧設定ラインＬ３の電圧Ｖ３が第１基準電圧設定ラインＬ１の電圧Ｖ１より大きくなった時点で、第１コンパレータ３１１の出力状態（第１出力端子ＯＵＴLOWの出力状態）がハイ出力からロー出力に切り替わる。このため、第１コンパレータ３１１の出力状態を監視することで、外部からの電磁波の照射を検出することができる。このとき、第１基準電圧設定ラインＬ１の電圧Ｖ１と第２基準電圧設定ラインＬ２の電圧Ｖ２と誘導電圧設定ラインＬ３の電圧Ｖ３の関係は、Ｖ２＞Ｖ３＞Ｖ１となる。
【００９４】
さらに、遊技機１に対して外部からより大きな電磁波が照射された場合には、アンテナ３１９にてより大きな誘導電圧が発生し、誘導電圧設定ラインＬ３の電圧Ｖ３がさらに上昇する。そして、誘導電圧設定ラインＬ３の電圧Ｖ３が第２基準電圧設定ラインＬ２の電圧Ｖ２より大きくなった時点で、第２コンパレータ３１２の出力状態（第２出力端子ＯＵＴHIの出力状態）がハイ出力からロー出力に切り替わる。このため、第２コンパレータ３１２の出力状態を監視することで、外部からのより大きな電磁波の照射を検出することができる。このとき、第１基準電圧設定ラインＬ１の電圧Ｖ１と第２基準電圧設定ラインＬ２の電圧Ｖ２と誘導電圧設定ラインＬ３の電圧Ｖ３の関係は、Ｖ３＞Ｖ２＞Ｖ１となる。
【００９５】
本実施例の電波検出回路３００では、外部からの電磁波照射を視覚的に確認するための第１ＬＥＤ３２２と第２ＬＥＤ３２３を備えている。第１ＬＥＤ３２２は、第１コンパレータ３１１の出力状態がハイ出力となっている通常状態には電流が流れず、消灯状態となっており、第２ＬＥＤ３２３は、第２コンパレータ３１２の出力状態がハイ出力となっている通常状態には電流が流れず、消灯状態となっている。これに対し、第１コンパレータ３１１の出力状態がロー出力となった場合には、第１ＬＥＤ３２２に電流が流れ、点灯状態となり、第２コンパレータ３１２の出力状態がロー出力となった場合には、第２ＬＥＤ３２３に電流が流れ、点灯状態となる。このため、第１ＬＥＤ３２２と第２ＬＥＤ３２３の点灯状態によって、電波検出回路３００が外部からの電磁波を検出したか否かを視覚的に把握することができる。
【００９６】
以上説明した本実施例の電波検出回路３００は、電磁波によりアンテナ３１９で発生した誘導電圧を検知する構成、つまり誘導ノイズを検知する非共振型の構成である。このため、共振回路を用いて電波を感知する構成に比較して、検出可能な電磁波の周波数帯が限定されず、いかなる周波数帯の電磁波であっても検出することができる。これにより、外部から電磁波を照射して電磁波誘導により電子回路の配線に誘導電圧（ノイズ）を発生させて電子回路を誤作動させる不正行為を検出することが可能となる。さらに、本実施例の電波検出回路３００の構成によれば、共振回路を用いることなく、簡易な構成で電磁波を検出することができるので、低コスト化が実現可能となる。
【００９７】
また、本実施例の構成によれば、大きさの異なる２種類の基準電圧Ｖ１、Ｖ２を生成するようにし、これらの基準電圧Ｖ１、Ｖ２と電磁波により電圧が変動する誘導電圧Ｖ３とを比較することで、外部から照射される電磁波の大きさを段階的に検出することができ、電磁波の検出感度を複数段階で設定することができる。この結果、検出された電磁波の大きさ（電磁波の検出感度）によって、エラー報知態様を異ならせることができる。
【００９８】
具体的には、主制御部２００は、電波検出回路３００の第１出力端子ＯＵＴLOWの出力状態に基づいて外部からの電磁波を検出した場合（第１段階目の検出）と、電波検出回路３００の第２出力端子ＯＵＴHIの出力状態に基づいて外部からの電磁波を検出した場合（第２段階目の検出）とで、サブ制御部２６０に異なるエラー出力をするように構成することができる。サブ制御部２６０が第１出力端子ＯＵＴLOWに基づく第１段階目のエラー出力を受信した場合には、例えば遊技機１の前面枠４に設けられたＬＥＤを点灯表示と、外部接続端子よりホールコンピュータへのエラー出力を行う。そして、サブ制御部２６０が第２出力端子ＯＵＴHIに基づく第２段階目のエラー出力を受信した場合には、例えば遊技機１の前面枠４に設けられたＬＥＤを点灯表示と、外部接続端子よりホールコンピュータへのエラー出力に加えて、演出表示装置２５の表示領域における表示やスピーカ１０ａ〜１０ｄからの音声を用いて、異常が発生した旨のエラー報知を行うことができる。
【００９９】
このように、電磁波の第１段階目の検出が行われた場合には、ホールコンピュータへのエラー報知を行い、遊技機１でのエラー報知を行わないことで、ホールコンピュータに不正行為を監視しつつ、遊技者は遊技を継続することができる。そして、電磁波の第２段階目の検出が行われた場合には、ホールコンピュータへのエラー報知に加え、遊技機１でのエラー報知を行うことで、当該遊技機１で不正行為が行われていることを明らかにすることができる。さらに、主制御部２００は、電磁波の第２段階目の検出が行われた場合に、遊技機１の各種制御の停止や電源の遮断を行い、遊技の進行を停止させることで、不正行為による影響を可能な限り抑制することができる。
【０１００】
また、本実施例の電波検出回路３００では、第１基準電圧設定ラインＬ１と第２基準電圧設定ラインＬ２と誘導電圧設定ラインＬ３の電位差を調整することで、電波検出回路３００の感度を調整することができる。本実施例の電波検出回路３００では、第１基準電圧設定ラインＬ１と誘導電圧設定ラインＬ３の電位差は、第３抵抗３０４の抵抗値によって変更することができ、第２基準電圧設定ラインＬ１と誘導電圧設定ラインＬ３の電位差は、第２抵抗３０３と第３抵抗３０４の抵抗値によって変更することができる。特に本実施例の電波検出回路３００では、第２抵抗３０３と第３抵抗３０４として可変抵抗を用いているので、容易に電波検出回路３００の感度を調整することができる。
【０１０１】
具体的には、第３抵抗３０４の抵抗値を小さくすることで、第１基準電圧設定ラインＬ１と誘導電圧設定ラインＬ３の電位差が小さくなり、第１段階目の検出感度を高くすることができ、第２抵抗３０３と第３抵抗３０４の抵抗値を小さくすることで、第２基準電圧設定ラインＬ２と誘導電圧設定ラインＬ３の電位差が小さくなり、第２段階目の検出感度を高くすることができる。そして、第３抵抗３０４の抵抗値を大きくすることで、第１基準電圧設定ラインＬ１と誘導電圧設定ラインＬ３の電位差が大きくなり、第１段階目の検出感度を低くすることができ、第２抵抗３０３と第３抵抗３０４の抵抗値を大きくすることで、第２基準電圧設定ラインＬ２と誘導電圧設定ラインＬ３の電位差が大きくなり、第２段階目の検出感度を低くすることができる。
【０１０２】
また、本実施例の電波検出回路３００では、電子回路に影響を及ぼすおそれがある誘導電圧が検出対象となるため、サージ電圧によるノイズや電磁誘導等も検出対象に含まれることになる。ただし、電磁誘導は周波数が低いため誘導を受けにくいが、本実施例ではアンテナ３１９を電源端子Ｖｃｃに接続したループ状に構成して、感度を向上させている。このように、本実施例では、アンテナ３１９を電源端子Ｖｃｃに接続して感度を向上させているので、アンテナ３１９を小型化できる。
【０１０３】
（第２実施例）
次に、本発明の第２実施例について説明する。以下、上記第１実施例と異なる部分についてのみ説明する。
【０１０４】
図６は、本第２実施例の電波検出回路３００の回路図であり、上記第１実施例の図５に対応している。
【０１０５】
図６に示すように、電源端子Ｖｃｃと第１基準電圧設定ラインＬ１との間にはトランジスタ３２７が接続されている。本実施例のトランジスタ３２７は、ｐｎｐ型のトランジスタであり、第２コンパレータ３１２が出力状態の変化により、第１基準電圧設定ラインＬ１の電圧を電源電圧Ｖｃｃと同等の電圧にするように構成されている。トランジスタ３２７は、エミッタが電源端子Ｖｃｃ側に接続され、コレクタが第１基準電圧設定ラインＬ１側に接続され、ベースが第２コンパレータ３１２の出力ラインに接続されている。
【０１０６】
また、トランジスタ３２７のベースと電源端子Ｖｃｃとの間には、第９抵抗３２８が接続されており、トランジスタ３２７のコレクタと第１基準電圧設定ラインＬ１との間には第１０抵抗３２９が接続されており、トランジスタ３２７のベースと第２コンパレータ３１２の出力側との間には、第１１抵抗３３０が接続されている。第９抵抗３２８はプルアップ抵抗であり、第１０抵抗３２９および第１１抵抗３３０は、トランジスタ３２７の保護用抵抗である。
【０１０７】
次に、本第２実施例の電波検出回路３００の作動について説明する。
【０１０８】
まず、外部から電磁波が照射されていない通常状態では、第１コンパレータ３１１と第２コンパレータ３１２の出力状態はハイ出力となっている。そして、遊技機１に対して外部から電磁波が照射された場合には、誘導電圧設定ラインＬ３の電圧Ｖ３が上昇し、誘導電圧設定ラインＬ３の電圧Ｖ３が第１基準電圧設定ラインＬ１の電圧より大きくなった時点で、第１コンパレータ３１１の出力状態（第１出力端子ＯＵＴLOWの出力状態）がハイ出力からロー出力に切り替わる。このとき、第１基準電圧設定ラインＬ１の電圧Ｖ１と第２基準電圧設定ラインＬ２の電圧Ｖ２と誘導電圧設定ラインＬ３の電圧Ｖ３の関係は、Ｖ２＞Ｖ３＞Ｖ１となる。
【０１０９】
さらに、遊技機１に対して外部からより大きな電磁波が照射された場合には、誘導電圧設定ラインＬ３の電圧Ｖ３が第２基準電圧設定ラインＬ２の電圧Ｖ２より大きくなった時点で、第２コンパレータ３１２の出力状態（第２出力端子ＯＵＴHIの出力状態）がハイ出力からロー出力に切り替わる。このとき、第２コンパレータ３１２の出力状態ロー出力に切り替わることで、トランジスタ３２７がオン状態となり、第１基準電圧設定ラインＬ１の電圧Ｖ１は限りなく電源電圧Ｖｃｃに近い電圧となる。このため、第１基準電圧設定ラインＬ１の電圧Ｖ１と第２基準電圧設定ラインＬ２の電圧Ｖ２と誘導電圧設定ラインＬ３の電圧Ｖ３の関係は、Ｖ１＞Ｖ３＞Ｖ２となる。このため、第１コンパレータ３１１の出力状態は、ロー出力からハイ出力に切り替わる。
【０１１０】
以上のように、本第２実施例の構成によれば、誘導電圧設定ラインＬ３の電圧Ｖ３が第１基準電圧設定ラインＬ１の電圧Ｖ１より大きくなった場合（第１段階目の検出）には、第１出力端子ＯＵＴLOWのみがロー出力となり、誘導電圧設定ラインＬ３の電圧Ｖ３が第２基準電圧設定ラインＬ２の電圧Ｖ２より大きくなった場合（第２段階目の検出）には、第２出力端子ＯＵＴHIのみがロー出力となる。
【０１１１】
これにより、誘導電圧設定ラインＬ３の電圧Ｖ３が第２基準電圧設定ラインＬ２の電圧Ｖ２より大きくなった場合（第２段階目の検出）に、第１出力端子ＯＵＴLOWと第２出力端子ＯＵＴHIの両方がロー出力となる第１実施例の構成に比較して、本第２実施例では、ロー出力になっている出力端子のみを監視すればよく、第１出力端子ＯＵＴLOWと第２出力端子ＯＵＴHIの出力状態の監視を容易に行うことができる。
【０１１２】
（他の実施形態）
以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１１３】
例えば、上記各実施例では、２つの基準電圧設定ラインＬ１、Ｌ２を設け、電波検出回路３００による電磁波の検出感度が２段階となるように構成したが、これに限らず、３以上の基準電圧設定ラインを設け、電波検出回路３００による電磁波の検出感度が３段階以上となるように構成してもよい。この場合には、各基準電圧設定ラインと誘導電圧設定ラインが入力するコンパレータをそれぞれ設ければよい。
【０１１４】
このように、基準電圧設定ラインを３以上とした構成において、上記第２実施例のように、検出対象のコンパレータの出力のみをロー出力とし、それ以外のコンパレータの出力をハイ出力とする場合には、トランジスタを複数設け、トランジスタのコレクタを出力をハイにするコンパレータに入力する基準電圧設定ラインに接続し、トランジスタのベースをロー出力となるコンパレータの出力側に接続すればよい。これにより、コンパレータの数が多くなっても、各コンパレータの出力状態を検出するための構成が複雑化することを抑制できる。さらに、複数のトランジスタベースとコレクタの接続先を適宜選択することで、複数のコンパレータの出力パターンを多様化させることができる。
【０１１５】
また、上記各実施例では、電波検出回路３００を主制御部２００に設けたが、これに限らず、電波検出回路３００を払出制御部２３０、サブ制御部２６０等の他の制御部に設けてもよい。
【０１１６】
例えば、電波検出回路３００を払出制御部２３０を構成する払出制御基板２３０ａに設けた場合には、払出制御基板２３０ａは主制御基板２００ａの下方に配置されており、電波検出回路３００が始動口入球検知スイッチ２８ｓから遠くなるため、電波検出回路３００の感度を若干上げる必要があるかもしれない。また、図４に示すように主制御基板２００ａと払出制御基板２３０ａは双方向通信可能に接続されている。そのため、払出制御基板２３０ａに設けられた電波検出回路３００で電波を検出した場合は、払出制御部２３０から主制御部２００に対してエラー信号を送出することができる。そして、主制御部２００は、サブ制御部２６０に対してエラー出力するように構成することができる。
【０１１７】
また、例えば、電波制御検出回路３００をサブ制御部２６０を構成するサブ制御基板２６０ａに設けた場合には、サブ制御基板２６０ａは、主制御基板２００ａの上方に設けられており、電波検出回路３００が始動口入球検知スイッチ２８ｓから遠くなるため、電波検出回路３００の感度を若干上げる必要があるかもしれない。この場合、図４に示すように主制御基板２００ａとサブ制御基板２６０ａとの間は、主制御基板２００ａからサブ制御基板２６０ａへの一方向通信である。このため、サブ制御基板２６０ａに設けられた電波検出回路３００で電波を検出した場合は、主制御部２００が関知することなく、サブ制御部２６０単独でエラー出力をすればよい。サブ制御部２６０は、演出表示装置２５の表示領域における表示やスピーカ１０ａ〜１０ｄからの音声を用いて、異常が発生した旨のエラー報知を行うことができる。
【０１１８】
また、電波検出回路３００を主制御基板２００ａや払出制御基板２３０ａやサブ制御基板２６０ａのいずれでもない場所に、電波検出回路３００専用の中継基板を設けて配置することも可能である。不正電波の照射対象とされる場所が、始動口入球検知スイッチ２８ｓとは限らないため、不正電波を照射されると予測される位置に電波検出回路３００専用の中継基板を配置すればよい。この場合、不正電波を検知した場合のエラー処理のために、電波検出回路３００専用の中継基板から主制御基板２００ａに信号を送信できるように構成することが望ましい。
【０１１９】
また、上記各実施例では、第２抵抗３０３を感度調整ができるように可変抵抗を用いている。しかし、設計値または試作等で抵抗値が確定している場合は固定抵抗を用いてもよい。これにより、可変抵抗を用いることが規制される機器にも本発明の電波検出回路３００は搭載可能である。
【０１２０】
また、上記各実施例では、電波検出回路３００で電波を検出した場合、ただちに主制御部２００はサブ制御部２６０にエラー出力する構成とした。しかし、不正行為者のなかには、周囲に怪しまれないように常に遊技をしながら、遊技機１に不正電波を照射する者もいる。このため、遊技中であることと不正電波を照射したことを、ＡＮＤ条件でエラー出力するようにしてもよい。つまり、遊技者が遊技をしていること、すなわち遊技球が発射されていることを、主制御基板２００ａは、発射制御基板２５０ａ及び払出制御基板２３０ａを介して検出できる。そこで、主制御部２００は、遊技球が発射されており、かつ、電波検出回路３００で電波が検出されたときのみ、サブ制御部２６０にエラー出力するような構成としてもよい。
【０１２１】
また、上記各実施例では、アンテナ３１９を電源端子Ｖｃｃ側に接続したが、これに限らず、図７に示すように、アンテナ３１９をグランド端子ＧＮＤ側に接続するように構成してもよい。
【０１２２】
また、上記各実施例では、本発明をパチンコ遊技機（弾球遊技機）に適用した例について説明したが、本発明は回胴式遊技機のような異なる種類の遊技機にも適用可能である。図８は回胴式遊技機１１０の正面図、図９は回胴式遊技機１１０の電子制御装置の概略構成を示すブロック図である。図８に示すように、回胴式遊技機１１０は、スタートレバー１１１により回転を開始した複数の回胴１１２を所定の図柄の組合せが揃うように停止ボタン１１３を操作して停止させ、遊技役の入賞が成立しているか否かによって遊技メダルが払い出されるという一連の遊技を行う遊技機である。図９に示すように、回胴式遊技機１００には、遊技全体の進行や演出を司る主制御基板１１４や演出を司るサブ制御基板１１５が設けられており、これらの主制御基板１１４やサブ制御基板１１５に本発明の電波検出回路を設けることができる。
【０１２３】
また、前述の実施例では、電波検出回路３００により不正電波を検出した場合に、ホールコンピュータへのエラー報知以外に遊技機でのエラー報知として、遊技機前面枠４に設けられたＬＥＤの点灯表示や演出表示装置２５への表示領域における表示やスピーカ１０ａ〜１０ｄからの音声出力や各種制御の停止や電源の遮断を開示した。
【０１２４】
ここで、不正行為を検出した場合における各種制御の停止についてさらに詳しく述べる。電磁波の第２段階目の検出が行われた場合（誘導電圧設定ラインＬ３の電圧Ｖ３が第２基準電圧設定ラインＬ２の電圧Ｖ２より大きくなった場合）に、例えば、遊技球の発射をできなくすることが挙げられる。遊技球の発射ができなくなれば、それ以上遊技を継続することができなくなるので遊技者は不正行為を躊躇しやすい。
【０１２５】
また、払出制御部２３０による賞球の払い出しを停止してもよい。つまり、遊技球を発射できなくても、電磁波による不正行為により、賞球を獲得することができるが、賞球払い出しが停止されれば賞球の獲得も不可能になる。この場合に、演出表示装置２５で例えば「電磁波を検出しました。遊技球発射と賞球払い出しを停止します。」と表示し、スピーカ１０ａ〜１０ｄで同様の音声を大音量で出力し、遊技球の発射と賞球の払い出しの制御を停止すればよい。また、電磁波の検出が続く限り、音声による異常音の出力を徐々に大音量になるように制御してもよい。
【０１２６】
また、不正行為者は、スピーカ１０ａ〜１０ｄの出力を断線させる不正行為を併せて実行する場合もあるので、演出表示装置２５の表示領域を例えば真っ黒な表示にして、周囲の誰が見ても当該遊技機１で異常が発生していることをわからせるようにしてもよい。なお、スピーカ１０ａ〜１０ｄが断線または破壊された場合にも異常報知できるように、外部から断線や破壊させることが困難な遊技機内部に異常報知専用のスピーカを別途設けるようにしてもよい。
【符号の説明】
【０１２７】
１…遊技機、２８…始動口、２００…主制御部、２３０…払出制御部、２６０…サブ制御部、３００…電波検出回路、３０７…第１ダイオード、３０６…第２ダイオード、３０８…第３ダイオード、３０９…第１コンデンサ、３１０…第２コンデンサ、３１１…第１コンパレータ（第１比較手段）、３１２…第２コンパレータ（第２比較手段）、３１９…アンテナ、Ｌ１…第１基準電圧設定ライン、Ｌ２…第２基準電圧設定ライン、Ｌ３…誘導電圧設定ライン。
【図１】
2011125436.tif 000003
【図２】
2011125436.tif 000004
【図３】
2011125436.tif 000005
【図４】
2011125436.tif 000006
【図５】
2011125436.tif 000007
【図６】
2011125436.tif 000008
【図７】
2011125436.tif 000009
【図８】
2011125436.tif 000010
【図９】
2011125436.tif 000011